【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
３８０ｎｍ以上５００ｎｍ以下の波長領域の照射照度が、５００ｎｍ超７００ｎｍ以下の波長領域の照射照度以上となる光を照射する第一照明手段と、
６００ｎｍ以上７００ｎｍ以下の波長領域の照射照度が、３８０ｎｍ以上６００ｎｍ未満の波長領域の照射照度以上となる光を照射する第二照明手段と、を有する居室を備える照明付き建物。
【請求項２】
前記第一照明手段は、居室における就寝領域に向けて光を照射する、請求項１に記載の照明付き建物。
【請求項３】
前記第二照明手段は、居室における就寝領域を外した方向に光を照射する、請求項１又は２に記載の照明付き建物。
【請求項４】
前記第一照明手段及び前記第二照明手段は、該第一照明手段及び該第二照明手段が照射する光の照射方向の切替え手段を有する単一の照明器具に設けられる、請求項１〜３の何れか一項に記載の照明付き建物。
【請求項５】
前記第一照明手段及び前記第二照明手段が照射する光の光束を調節する光束調節機構を有する、請求項１〜４の何れか一項に記載の照明付き建物。
【請求項６】
居室における所定領域の照度、分光分布、及びＲＧＢ成分のうち少なくとも１つを測定する計測手段を備える、請求項１〜５の何れか一項に記載の照明付き建物。
【請求項７】
居住者の体温又は心拍を含む生体リズムに関する情報を計測する生体リズム情報計測手段、及び計測した前記生体リズムに関する情報を保存する生体リズム情報保存手段を備える、請求項１〜６の何れか一項に記載の照明付き建物。
【請求項８】
前記生体リズム情報計測手段によって計測した前記生体リズムに関する情報に基づいて、前記第一照明手段及び前記第二照明手段の作動時間又は光束を決定する制御手段を備え、
該制御手段は、前記第一照明手段及び前記第二照明手段が照射する光の光束を調節する光束調節機構を制御する、請求項７に記載の照明付き建物。
【請求項９】
前記生体リズムに関する情報、及び前記第一照明手段及び前記第二照明手段の作動時間又は照度、を表示する表示手段を備える、請求項８に記載の照明付き建物。
【手続補正２】
【補正対象書類名】明細書
【補正対象項目名】発明の名称
【補正方法】変更
【補正の内容】
【発明の名称】照明付き建物
【手続補正３】
【補正対象書類名】明細書
【補正対象項目名】０００１
【補正方法】変更
【補正の内容】
【０００１】
本発明は、覚醒用の光及び鎮静用の光を照射可能な照明を備える建物に関するものである。
【手続補正４】
【補正対象書類名】明細書
【補正対象項目名】００１０
【補正方法】変更
【補正の内容】
【００１０】
それゆえ、本発明は、分光分布を適切に制御した光を照射することで、居住者の生体リズムを適切にコントロールすることが可能な照明を有する、照明付き建物を提供することを目的とする。
【手続補正５】
【補正対象書類名】明細書
【補正対象項目名】００１１
【補正方法】変更
【補正の内容】
【００１１】
本発明は、上記課題を解決するためになされたものであり、本発明の照明付き建物は、３８０ｎｍ以上５００ｎｍ以下の波長領域の照射照度が、５００ｎｍ超７００ｎｍ以下の波長領域の照射照度以上となる光を照射する第一照明手段と、
６００ｎｍ以上７００ｎｍ以下の波長領域の照射照度が、３８０ｎｍ以上６００ｎｍ未満の波長領域の照射照度以上となる光を照射する第二照明手段と、を有する居室を備えることを特徴とするものである。
【手続補正６】
【補正対象書類名】明細書
【補正対象項目名】００１２
【補正方法】変更
【補正の内容】
【００１２】
また、本発明の照明付き建物にあっては、前記第一照明手段は、居室における就寝領域に向けて光を照射することが好ましい。なお、「就寝領域」とは、居住者が就寝するための領域であり、例えば、ベッドや布団が配置される領域である。
【手続補正７】
【補正対象書類名】明細書
【補正対象項目名】００１３
【補正方法】変更
【補正の内容】
【００１３】
また、本発明の照明付き建物にあっては、前記第二照明手段は、居室における就寝領域を外した方向に光を照射することが好ましい。また、就寝領域に光を照射する場合は調光をして、眼に届く光の量をコントロールすることが好ましく、強い光が居住者の目に届かないようにすることが重要である。
【手続補正８】
【補正対象書類名】明細書
【補正対象項目名】００１４
【補正方法】変更
【補正の内容】
【００１４】
また、本発明の照明付き建物にあっては、前記第一照明手段及び前記第二照明手段は、該第一照明手段及び該第二照明手段が照射する光の照射方向の切替え手段を有する単一の照明器具に設けられることが好ましい。
【手続補正９】
【補正対象書類名】明細書
【補正対象項目名】００１５
【補正方法】変更
【補正の内容】
【００１５】
また、本発明の照明付き建物にあっては、前記第一照明手段及び前記第二照明手段が照射する光の光束を調節する光束調節機構を有することが好ましい。
【手続補正１０】
【補正対象書類名】明細書
【補正対象項目名】００１６
【補正方法】変更
【補正の内容】
【００１６】
また、本発明の照明付き建物にあっては、居室における所定領域の照度、分光分布、及びＲＧＢ成分（もしくはＸＹＺ成分等、表色方法のうち低周波数、高周波数を切り分けて測定できる方法）のうち少なくとも１つを測定する計測手段を備えることが好ましい。
【手続補正１１】
【補正対象書類名】明細書
【補正対象項目名】００１７
【補正方法】変更
【補正の内容】
【００１７】
また、本発明の照明付き建物にあっては、居住者の体温又は心拍を含む生体リズムに関する情報を計測する生体リズム情報計測手段、及び計測した前記生体リズムに関する情報を保存する生体リズム情報保存手段を備えることが好ましい。
【手続補正１２】
【補正対象書類名】明細書
【補正対象項目名】００１８
【補正方法】変更
【補正の内容】
【００１８】
また、本発明の照明付き建物にあっては、前記生体リズム情報計測手段によって計測した前記生体リズムに関する情報に基づいて、前記第一照明手段及び前記第二照明手段の作動時間又は光束を決定する制御手段を備え、
該制御手段は、前記第一照明手段及び前記第二照明手段が照射する光の光束を調節する光束調節機構を制御することが好ましい。
【手続補正１３】
【補正対象書類名】明細書
【補正対象項目名】００１９
【補正方法】変更
【補正の内容】
【００１９】
また、本発明の照明付き建物にあっては、前記生体リズムに関する情報、及び前記第一照明手段及び前記第二照明手段の作動時間又は光束、を表示する表示手段を備えることが好ましい。
【手続補正１４】
【補正対象書類名】明細書
【補正対象項目名】００２０
【補正方法】変更
【補正の内容】
【００２０】
本発明によれば、分光分布を適切に制御した光を照射することで、居住者の生体リズムを適切にコントロールすることが可能な照明を有する、照明付き建物を提供することが可能となる。
【手続補正１５】
【補正対象書類名】明細書
【補正対象項目名】００２１
【補正方法】変更
【補正の内容】
【００２１】
【図１】（ａ）は、本発明に係る照明付き建物の一実施形態において、覚醒用の光を照射する様子を示す図であり、（ｂ）は、鎮静用の光を照射する様子を表している。
【図２】（ａ）は、覚醒用の光の分光分布の一例を示すグラフであり、（ｂ）は、鎮静用の光の分光分布の一例を示すグラフである。
【図３】内因性光感受性網膜神経節細胞 (intrinsically photosensitive retinal ganglion cell : 以下ipRGC)の分光視感効率：V'(λ)を示す図である。
【手続補正１６】
【補正対象書類名】明細書
【補正対象項目名】００２２
【補正方法】変更
【補正の内容】
【００２２】
以下、図面を参照しつつ、本発明に係る照明付き建物の実施形態について詳細に説明する。図１（ａ）、（ｂ）は、住宅等の建物における居室１を示したものであり、居室１の一方側の壁には窓２が設けられており、居室１の天井には主照明３が設けられている。また、窓２の対向側の壁には健康照明４（照明）が設けられており、健康照明４の付近に居住者Ｐが就寝するためのベッド５が配置されている。